(57)【要約】【課題】光源が実装される光源基板と放熱部材とを備える照明器具において、熱を光源基板から放熱部材へうまく熱伝導させ放熱効率を高くするとともに、光源基板のクラック発生を防止することを目的とする。【解決手段】光源基板の一方の面側に設けられた放熱部材に、光源基板の他方の面側に設けられた反射板を取り付けることにより、光源基板を反射板と放熱部材との間に挟持する。【選択図】図１
2010262846.tif 000002
【特許請求の範囲】
【請求項１】
光源が実装される光源基板と、
前記光源基板の一方の面側に設けられた放熱部材と、
前記光源基板の他方の面側に設けられた反射板とを備え、
前記反射板を前記放熱部材に取付部材により取り付けることにより、前記光源基板を前記反射板と前記放熱部材との間に挟持する
ことを特徴とする照明器具。
【請求項２】
前記反射板には、前記光源基板側へ突出した複数の突出部が形成され、
前記反射板を前記放熱部材に取付部材により取り付けた場合に、前記反射板に形成された複数の突出部により前記光源基板を前記放熱部材へ押し付ける
ことを特徴とする請求項１に記載の照明器具。
【請求項３】
前記光源基板には、切り欠き状又は孔状の貫通部が形成され、
前記反射板には、所定の位置に前記光源基板側へ突出した光源基板位置決めピンが形成され、
前記反射板を前記放熱部材に取付部材により取り付けた場合に、前記反射板に形成された光源基板位置決めピンが前記光源基板に形成された貫通部を貫通する
ことを特徴とする請求項１又は２に記載の照明器具。
【発明の詳細な説明】
【技術分野】
【０００１】
この発明は、例えば、光源が実装される光源基板の背面に放熱部材が設けられた照明器具に関する。
【背景技術】
【０００２】
特許文献１には、表面積の大きな器具本体に、光源部と電源部と電源端子台とを取り付けた照明器具についての記載がある。この照明器具は、器具本体の表面積を大きくすることにより、放熱性能を高めている。
【先行技術文献】
【特許文献】
【０００３】
【特許文献１】特開２００８−１８６７７６号公報
【発明の概要】
【発明が解決しようとする課題】
【０００４】
光源基板は光源から発生する熱により温度が上昇する。特に、光源基板に複数の光源を実装した場合、温度が上昇し易い。光源基板の温度が上昇すると、光源の発光効率が悪くなる。そのため、光源基板の熱を放熱する必要がある。
光源基板の熱を放熱する方法としては、光源基板の背面にヒートシンクとなる放熱部材を密着するように配置する方法が考えられる。この方法では、光源基板と放熱部材の密着の状態によっては光源基板の熱がうまく放熱部材へ伝導せず、放熱効率が悪い。そこで、光源基板と放熱部材とをねじ止めすることにより、光源基板と放熱部材とを強固に結合することが考えられる。しかし、光源基板と放熱部材とをねじ止めした場合、光源基板と放熱部材との密着面全体に一様に力がかからず、光源基板と放熱部材とが局部的にしか密着せず、熱がうまく放熱部材へ伝導しない。また、ねじ止めした場合、光源基板に局部的に力がかかるため、光源基板にクラックなどが生じる虞がある。
【０００５】
この発明は、例えば、熱を光源基板から放熱部材へうまく熱伝導させ放熱効率を高くするとともに、光源基板のクラック発生を防止することを目的とする。
【課題を解決するための手段】
【０００６】
この発明に係る照明器具は、例えば、光源が実装される光源基板と、前記光源基板の一方の面側に設けられた放熱部材と、前記光源基板の他方の面側に設けられた反射板とを備え、前記反射板を前記放熱部材に取付部材により取り付けることにより、前記光源基板を前記反射板と前記放熱部材との間に挟持することを特徴とする。
【発明の効果】
【０００７】
この発明に係る照明器具は、反射板を放熱部材に取り付けることにより、光源基板を反射板と放熱部材との間に挟持する。このため、光源基板に局部的な力がかかることなく、光源基板を放熱部材に一様な力で密着させることができる。その結果、熱を光源基板から放熱部材へうまく熱伝導させ放熱性能を高くできるとともに、光源基板のクラック発生を防止することができる。
【図面の簡単な説明】
【０００８】
【図１】照明器具１０の前面側から見た一部分解斜視図。
【図２】照明器具１０の背面側から見た一部分解斜視図。
【図３】照明器具１０の断面図。
【図４】図３の破線部で囲った部分の拡大図。
【発明を実施するための形態】
【０００９】
実施の形態１．
図１は、照明器具１０の前面側（反射板２側）から見た一部分解斜視図である。
図２は、照明器具１０の背面側（放熱フィン３側）から見た一部分解斜視図である。
図３は、照明器具１０の断面図である。
図４は、図３の破線部で囲った部分の拡大図である。
なお、図１，２では、分かり易くするため、カバー６を省略している。また、図１，２では、反射板２が放熱フィン３に取り付けられていない状態である。
図１から図４に示すように、照明器具１０は、光源基板１、絶縁シート１ａ、反射板２、放熱フィン３（放熱部材の一例）、ねじ４（取付部材の一例）、電源ケース５、カバー６を備える。
【００１０】
光源基板１は、平板状に形成される。光源基板１には、中央部に複数の光源７（ここでは、ＬＥＤ）が一様に実装される。光源基板１の周縁部には、後述する光源基板位置決めピン２−５に対応する位置に光源基板位置決めガイド１−１（貫通部の一例）が形成される。
絶縁シート１ａは、平面状に形成され、周縁部には、後述するねじ止め孔２−２に対応する位置に切り欠き１ａ−１と、後述する絶縁シート位置決めピン３−２に対応する絶縁シート位置決め孔１ａ−２が形成される。
【００１１】
反射板２は、光源基板１の光源７が実装された面側（前面側）に設けられる。反射板２には、光源基板１に実装された各光源７に対応して光出口２−１が中央部に形成されるとともに、周縁部に複数のねじ止め孔２−２が形成される。また、中央部と周縁部との境界部分には、光出口２−１が形成された部分の周囲を囲うように光源基板１側に突出した境界突出部２−３が形成される。また、光源基板１側に突出し、光源基板１が取り付けられるときに、光源基板１の位置をガイドする光源基板位置決めピン２−５が形成される。
光出口２−１は、光源７が発する光が放射される孔である。光出口２−１の周囲は、光源基板１側に突出して出口突出部２−４を形成する。なお、光源７は、光源基板１の中央部に一様に実装されているため、光出口２−１は、反射板２の中央部に一様に形成される。
ねじ止め孔２−２は、周縁部に均等の間隔に配置され、後述するねじ４が挿入される孔である。ここでは、ねじ止め孔２−２は、４箇所に形成される。
【００１２】
放熱フィン３は、光源基板１の光源７が実装された面と反対の面側（背面側）に設けられる。放熱フィン３には表面積が大きくなるように複数のフィンが形成され、光源７が発した熱や後述する電源ケース５に収納された電源が発した熱を放熱する。また、放熱フィン３には、光源基板１が取り付けられる面に突出して、絶縁シート１ａの位置をガイドする絶縁シート位置決めピン３−２が形成される。放熱フィン３は、アルミダイキャスト等により形成される。
【００１３】
ねじ４は、反射板２のねじ止め孔２−２に挿入され、絶縁シート１ａの切り欠き１ａ−１を貫通して、放熱フィン３のねじ止め孔３−１に挿入されて固定される。つまり、ねじ４は、反射板２と放熱フィン３との間に光源基板１を挟みながら、反射板２と放熱フィン３とを固定する。すなわち、ねじ４は、光源基板１には直接触れていない。
【００１４】
電源ケース５は、内部に電源を収納したケースであり、放熱フィン３の中央部に配置される。
【００１５】
カバー６は、反射板２の周囲を覆うように設けられ、光が放射される方向を限定する。
これは、反射板２が光源７に対応して個々の光を制御するのに対し、照明器具１０から放射される全体的な光を制御している。
なお、光源７が発する光の制御を反射板２のみで行える場合は、カバー６は、光を制御をする機能を備えることなく、ねじ４などを覆う化粧カバーとしての機能のみを備えてもよい。
また、カバー６は、天井などに設けられた取付穴に固定する固定部材としての機能を備えてもよい。
【００１６】
上述したように、反射板２を放熱フィン３にねじ４により固定することにより、光源基板１が反射板２と放熱フィン３とに挟まれて固定される。
ここで、反射板２には、光源基板１側に突出した境界突出部２−３、出口突出部２−４が形成される。光源基板１は、この境界突出部２−３、出口突出部２−４により、放熱フィン３へ押し付けられる。
特に、光出口２−１は、反射板２の中央部に一様に形成されるため、光源基板１の中央部は光出口２−１により一様に放熱フィン３へ押し付けられる。また、光源基板１のうち光源７が実装された部分の外周は、境界突出部２−３により放熱フィン３へ押し付けられる。
また、光出口２−１が、光源７の周囲に接するので、光源７が配置される部分の光源基板１が特に放熱フィン３に押し付けられる。そのため、光源７が発する熱を効率よく放熱フィン３に熱伝導させることができる。
ここで、光源７の周囲を放熱フィン３に押し付ける力が強すぎると、光源基板１の中央部分が押されるため、外周部分が放熱フィン３に対して反り返る恐れがある。
しかしながら、境界突出部２−３が光源基板１の外周部分を放熱フィン３に押し付けるので、光源基板１が反り返る恐れがなく、また、光源基板１をほぼ均等な力で放熱フィン３に押し付けることができる。
【００１７】
したがって、光源基板１は、反射板２により全体的に放熱フィン３に接する。つまり、光源基板１に局部的な力がかかることなく、光源基板１がシャフト３に一様に密着する。そのため、光源基板１からの熱を放熱フィン３にうまく熱伝導させることができ、放熱性能を高くすることができる。また、光源基板１にクラックが発生することを防止することができる。
また、光源基板１とねじ４とが金属である場合であっても、光源基板１がねじ４に直接触れないため、光源基板１の光源７実装部分とねじ４との間に十分な絶縁距離をとることができる。
【００１８】
また、光源基板１の光源基板位置決めガイド１−１に光源基板位置決めピン２−５を接触させることで、光源基板１がずれて配置されることを防止できる。
【００１９】
なお、光源基板１と放熱フィン３との間に配置される絶縁シート１ａに、熱伝導性の高い材質のものを用いると、光源７および光源基板１の熱伝導率を高めることができる。
また、切り欠き１ａ−１は、孔であってもよい。
【符号の説明】
【００２０】
１  光源基板、１−１  光源基板位置決めガイド、１ａ  絶縁シート、１ａ−１  切り欠き、１ａ−２  絶縁シート位置決め孔、２  反射板、２−１  光出口、２−２  ねじ止め孔、２−３  境界突出部、２−４  出口突出部、２−５  光源基板位置決めピン、３  放熱フィン、３−１  ねじ止め孔、３−２  絶縁シート位置決めピン、４  ねじ、５  電源ケース、６  カバー、７  光源、１０  照明器具。
【図１】
2010262846.tif 000003
【図２】
2010262846.tif 000004
【図３】
2010262846.tif 000005
【図４】
2010262846.tif 000006